(57)【要約】【課題】  従来技術では、ハンドルを閉じたときにしか固定することができなかった。開いた時に固定ができても他の部品が必要であった。そこで、より安全な使用・操作のためにはハンドルが開いているとき（使用中）の固定も必要である。さらに操作中に邪魔にならない機構であれば好ましい。【解決手段】  回転軸付近に溝を設けたハンドルとハンドルが取り付けられているロータ、およびロータ内に取り付けられたボールプランジャとで構成する。  ハンドルの溝にボールプランジャのボールがはまることにより、ハンドル開閉時両方で固定が行える。  ボールプランジャのボールがハンドルの溝にはまっていないときでも、ハンドルにある一定のテンションを常に加えることが可能である。  ハンドルとボールプランジャのみで、より正確な角度での固定が行えるほか、溝の位置や個数を変えることにより、固定の個所や個所数を変えることができる。  【選択図】        図１
2006230754.tif 000002
【特許請求の範囲】
【請求項１】
電動機で回転ヘッドを回転させて、該回転ヘッドに設けられた複数のローラを、該ローラの周面が接触する弾性チューブ上で転動させて、該弾性チューブを前記ローラによりしごかれることで、該弾性チューブ内の液体の輸送を行う血液ポンプにおいて、
該回転ヘッドの中心部に、手動回転用ハンドルが設けられていて、使用時に該ハンドルは該回転ヘッドに格納されていて、該回転ヘッドを回転させる電動機が、電源が切れたことにより回転ができなくなる医療的緊急時において、手動回転用ハンドルが設けられている血液ポンプにおいて、
該ハンドルの閉状態と開状態で固定でき、該ハンドルの閉状態と開状態の固定にハンドルの一部を切欠き、その部分と、球状の先端が固定物から突出し、球状の先端がばね性の有るもので押され、入り込みできる物（例えば、商品名ボールプランジャ）で固定されることを特徴とする輸液ポンプ。
【発明の詳細な説明】
【技術分野】
【０００１】
本発明は、腎不全患者などの治療において用いられる血液透析装置に組み込まれる電動血液ポンプに関するもので、電源が切れたりする事で起きる医療的緊急事態でも、血液透析治療が継続して行う為の技術に関する。更に、血液ポンプ装置はチューブを押し付けて血液を送り込むロータの一部に、医療的緊急事態でも、血液透析治療が継続して行う為の手動回転用ハンドルを備えた血液ポンプに関する。
【背景技術】
【０００２】
本血液ポンプは、二つ以上のローラを有するロータが回転することにより、ハウジング間とのクリアランスが変化し、チューブ内の圧力が変化することにより血液を吐出・吸引する方式のポンプであり、そのロータの一部には、医療的緊急事態でも、血液透析治療が継続して行う為の手動回転用ハンドルを備えた血液ポンプである。
突然電源が切れて、モータが動作不能になった場合、又、モータそのものが動作できなくなる等の、医療的緊急事態でも、血液透析治療が継続して行う事態を想定して、人間の力のみでも、人工透析治療が継続出来ることを考えられている血液ポンプに関する。
【０００３】
通常の正常状態で血液透析治療を行う時には、血液ポンプはハンドルを用いてロータを回転させることはない。しかし、緊急時（停電時等）において血液透析装置が停止してしまった場合に、チューブの中の血液が固まらないうちに患者の体内に戻してあげなければならない。
そんな医療的緊急事態が有ることを予想して、血液ポンプのロータ部分に、手動用ハンドルを内蔵している血液ポンプで、緊急時、医師や看護師（または患者）がロータから手動ハンドル引出して、ロータを回し、医療的治療行為を継続する。そのため手動ハンドルは使用される。
血液透析装置に組み込まれる血液ポンプは、装置に対して垂直方向に取り付けられるため、重力に対して水平方向となる。通常の状態で血液透析治療を行う時、血液透析装置使用中には、自然にハンドルが開かない固定機構が必要不可欠である。
【０００４】
【特許文献１】特開２０００−０１４７７５  従来技術では、マグネットやゴムを用いて固定する方法が取られ、手動ハンドルは閉じたときにしか固定ができなかった。また、板ばねを用いて固定する方法では、ハンドルを開いた時にも固定することが可能であるが、固定する角度を一定に決めるためには、他の部品によるネジ固定や接触等による圧力固定が必要となっていた。
【発明の開示】
【発明が解決しようとする課題】
【０００５】
上述の如き従来の方法では、ハンドルを開いた時、容易にハンドルの固定が行えなかった。又、角度決定にネジをまわす他の部品が必要であった。更に、より安全に操作するためには開いたとき（操作時）の固定が必要であった。
緊急時での使用のため、できるだけ操作が容易で、且つ、簡単で無ければならない。更に、操作の邪魔にならないことが好ましい。
【課題を解決するための手段】
【０００６】
上述の課題を解決するために、ハンドルの回転軸付近に２ヶ所の切欠き溝を設け、その部分と、球状の先端が固定物から突出し、球状の先端がばね性の有るもので押され、入り込みできる物（例えば、商品名ボールプランジャ）で固定される機構を持つことである。ハンドルの回転軸付近に２ヶ所の切欠き溝により、ハンドル開時、閉時の両方で、ハンドルの固定が行える構造とする。
【発明の効果】
【０００７】
本発明になる上記の構造は、溝を設けたハンドルとハンドルが取り付けられているロータ、およびロータ内に取り付けられた球状の先端が固定物から突出し、球状の先端がばね性の有るもので押され、入り込みできる物（例えば、商品名ボールプランジャ）で固定されることで構成する。
ハンドルの溝に例えば、商品名ボールプランジャのボールがはまることにより、ハンドル開閉時両方で固定が行える。又、例えば、商品名ボールプランジャのボールがハンドルの溝にはまっていないときでも、ハンドルにある一定のテンションを常に加えることが可能である。
ハンドルと例えば、商品名ボールプランジャのみで、より正確な角度での固定が行えるほか、溝の位置や個数を変えることにより、固定の個所や個所数を変えることができる。
【発明を実施するための最良の形態】
【０００８】
以下図面によって本発明の実施例を説明する。
【実施例１】
【０００９】
図２は、本発明の構造を示したものである。
ハンドル４が閉じているときは、ロータ５内の例えば、商品名ボールプランジャ６のばね力により、ハンドル４の７溝で固定される。
【００１０】
ハンドル４が開いている途中は、ハンドル４の溝がないため固定はされないが、ハンドル４はばね力を常に受けているので、ある一定の力を受けている。
【００１１】
ハンドル４が所定の角度まで開くと、ロータ５内の例えば、商品名ボールプランジャ６のばね力により、ハンドル４の８溝で固定される。
【産業上の利用可能性】
【００１２】
緊急医療用具のみに限らず、緊急救命用具等、状況によって電源が落ちたり、電源が取れずに、手動動作を継続しなければならない事が、予想されるものへの適用が考えられる。
【図面の簡単な説明】
【００１３】
【図１】本発明の構造を示す。
【図２】従来技術の構造例を示す。
【図３】本発明の構造の固定部詳細例を示す。
【符号の説明】
【００１４】
１            マグネット
２            ゴム
３            板ばね
４            ハンドル
５            ロータ
６            ボールプランジャ
７            ハンドル溝１
８            ハンドル溝２
【図１】
2006230754.tif 000003
【図２】
2006230754.tif 000004
【図３】
2006230754.tif 000005
【手続補正書】
【提出日】平成17年3月1日(2005.3.1)
【手続補正１】
【補正対象書類名】明細書
【補正対象項目名】００１４
【補正方法】変更
【補正の内容】
【００１４】
１        モータ（ＧＨ）
２        ハウジング
３        ローラ
４        ハンドル
５        マグネット
６        ゴム
７        いたばね
８        ロータ
９        ボールプランジャ
１０        ハンドル溝（閉時）
１１        ハンドル溝（開時）